(57)【要約】【課題】従来の生理用ナプキンは吸収体の吸収力が一様であるため、前後方向へずらして使用した場合、経血が排血口に対応する領域にある吸収体では吸収しきれず、生理用ナプキンの前端部または後端部から漏れてしまうおそれがある。【解決手段】吸収体５の吸収コア５ａは中高部８の中央部分１７において最も密度が高く、前端部または後端部へいくに従って密度が低くなっている。従って、中央部分１７からはずれた部位で吸収された経血等も、中央部分１７に対応する部位にある吸収コア５ａへ向かって流れることになる。【選択図】　　　　図２
2004073322.tif 000002
【特許請求の範囲】
【請求項１】
透液性のトップシートと、不透液性のバックシートと、前記トップシートと前記バックシートとの間に介在する吸収体とを有し、前記吸収体が備えられた範囲が吸収領域となっている吸収性物品において、前記吸収体は、前記吸収領域の前後方向における中央部分の吸収力が前記中央部分より前側に位置する前側部分および前記中央部分より後側に位置する後側部分の吸収力より大きいことを特徴とする吸収性物品。
【請求項２】
請求項１に記載した吸収性物品において、吸収領域に中高部が形成されていることを特徴とする吸収性物品。
【請求項３】
請求項１または２に記載した吸収性物品において、吸収領域には、間隔をあけて左側に配置された左エンボス加工部と右側に配置された右エンボス加工部とが形成され、前記左エンボス加工部と前記右エンボス加工部は前記吸収領域の前後方向へ真っ直ぐに延び、且つ平行に配置されていることを特徴とする吸収性物品。
【請求項４】
請求項３に記載した吸収性物品において、左エンボス加工部と右エンボス加工部とを連結する連結エンボス加工部が形成されていることを特徴とする吸収性物品。
【請求項５】
請求項１から４に吸収性物品において、吸収体は中央部分から前端部および後端部へいくに従って吸収力が徐々に低くなることを特徴とする吸収性物品。
【請求項６】
請求項１から５のいずれかに記載した吸収性物品において、前記吸収性物品は生理用ナプキンであり、中央部分は、吸収領域の前端から４０ｍｍの位置より後側であって、且つ吸収領域の後端から２０ｍｍの位置より前側の領域を最大範囲とすることを特徴とする吸収性物品。
【発明の詳細な説明】
【０００１】
【発明の属する技術分野】
本発明は生理用ナプキン、パンティライナー、失禁パッド、紙おむつ等の吸収性物品に係り、特に前後方向へずらして装用することを想定した吸収性物品に関するものである。
【０００２】
【従来の技術】
特表平８−５０４６０７、特開平９−７０４１３、特開平１０−２７２１５２に示された生理用ナプキンはエンボス加工部が直線状に形成されているので、生理用ナプキンを前後方向にずらして使用することができる。即ち、昼間は生理用ナプキンを前方へずらして装用し立ったり座ったりする際の前方側への漏れを防止し、夜間（就眠時）は生理用ナプキンを後方へずらして装用して後漏れを防止する。
【０００３】
【発明が解決しようとする課題】
しかしながら、上記従来の生理用ナプキンは吸収体の吸収力が一様であるため、前後方向へずらして使用した場合、経血が排血口に対応する領域にある吸収体では吸収しきれず、生理用ナプキンの前端部または後端部から漏れてしまうおそれがある。
【０００４】
本発明は上記従来の問題点に着目してなされたものであり、前後方向へずらして使用しても、前端部または後端部からの漏れを防止することができる吸収性物品を提供することを目的とする。
【０００５】
【課題を解決するための手段】
この目的を達成するために、請求項１の発明は、透液性のトップシートと、不透液性のバックシートと、前記トップシートと前記バックシートとの間に介在する吸収体とを有し、前記吸収体が備えられた範囲が吸収領域となっている吸収性物品において、前記吸収体は、前記吸収領域の前後方向における中央部分の吸収力が前記中央部分より前側に位置する前側部分および前記中央部分より後側に位置する後側部分の吸収力より大きいことを特徴とする吸収性物品である。
【０００６】
請求項１の吸収性物品では、経血等の液体を前側部分または後側部分において吸収しても、液体は中央部分へ集まろうとするので、前端部または後端部からの漏れを防止することができる。
【０００７】
請求項２の発明は、請求項１に記載した吸収性物品において、吸収領域に中高部が形成されていることを特徴とする吸収性物品である。
【０００８】
請求項２に記載の吸収性物品では、中高部が肌にフィットし、良好な装用感を得ることができる。
【０００９】
請求項３の発明は、請求項１または２に記載した吸収性物品おいて、吸収領域には、間隔をあけて左側に配置された左エンボス加工部と右側に配置された右エンボス加工部とが形成され、前記左エンボス加工部と前記右エンボス加工部は前記吸収領域の前後方向へ真っ直ぐに延び、且つ平行に配置されていることを特徴とする吸収性物品である。
【００１０】
請求項３の発明によれば、経血等の液体が、左エンボス加工部と右エンボス加工部とによって堰き止められ、左右方向への漏れも確実に防止することができる。
【００１１】
請求項４の発明は、請求項３に記載した吸収性物品において、左エンボス加工部と右エンボス加工部とを連結する連結エンボス加工部が形成されていることを特徴とする吸収性物品である。
【００１２】
請求項４の発明では、経血等の液体が、左エンボス加工部、右エンボス加工部および連結エンボス加工部によって堰き止められ、これらのエンボス加工部より外側へ漏れるのを防止できる。
【００１３】
請求項５の発明は、請求項１から５において、吸収体は中央部分から前端部および後端部へいくに従って吸収力が徐々に低くなることを特徴とする吸収性物品である。
【００１４】
請求項５の発明では、吸収体に吸収された経血等の液体は前後方向の中央部分に向かう。
【００１５】
請求項６の発明は、請求項１から５のいずれかに記載した吸収性物品において、前記吸収性物品は生理用ナプキンであり、中央部分は、吸収領域の前端から４０ｍｍの位置より後側であって、且つ吸収領域の後端から２０ｍｍの位置より前側の領域を最大範囲とすることを特徴とする吸収性物品である。
【００１６】
請求項６の発明では、成人女性の平均的なサイズの股間部における排血口の位置に対応して中央部分の最大範囲を設定しているので、生理用ナプキンを最も前側または最も後側にずらして装着した場合のいずれもカバーすることができる。
【００１７】
【発明の実施の形態】
以下に、本発明の実施の形態に係る生理用ナプキン１の実施の形態を図１から図４に従って説明する。
生理用ナプキン１は、不透液性のバックシート３と、このバックシート３の一方の面に保持された吸収体５と、この吸収体５の上に重ねられた透液性のトップシート７とから成る多層構造になっており、ホットメルト、ヒートシール等で接着されている。吸収体５は吸収コア５ａと、これを包むクレープ紙５ｂとによって構成されている。
【００１８】
バックシート３の裏面にはショーツに生理用ナプキン１を固定するための図示しない粘着剤が付与されている。このバックシート３の材料としては、ポリエチレン、ポリプロピン等の遮水材、遮水材に不織布とを積層してなるラミネート不織布、遮水材と不織布との間に防水プラスチックフィルムを介装して積層してなるラミネート不織布等が挙げられる。
トップシート７の表面シートの材料としては、無孔または有孔の不織布や多孔性プラスチックシート等が挙げられる。
【００１９】
吸収コア５ａは、吸水性繊維に高吸水性樹脂を分散混入してなるものである。吸水性繊維としては、パルプ、即ちセルロース繊維の他、レーヨン、アセテート等の人工セルロース繊維からなるものが好適材として挙げられる。
更に、ポリエチレン、ポリプロピレン等のオレフィン系、ポリエステル系、ポリアミド系等の疎水性合成繊維を併用してもよい。
【００２０】
高吸水性樹脂としては、ポリアクリル酸塩架橋物、自己架橋したポリアクリル酸塩、アクリル酸エステル−酢酸ビニル共重合体架橋物のケン化物、イソブチン・無水マレイン酸共重合体架橋物、ポリスルホン酸塩架橋物、ポリエチレンオキシド、ポリアクリルアミドなどの水膨潤性ポリマーを部分架橋したものなどが挙げられる。これらのうち、吸水量、吸水速度に優れるアクリル酸またはアクリル酸塩系のものが好適である。
【００２１】
この生理用ナプキン１のトップシート側には中高部８が形成され、この中高部８が、吸収体５を備えた範囲である吸収領域となっている。中高部８は生理用ナプキン１の前後方向（以下前後方向という）へ延びており、その前後方向の寸法Ｗは、２４０ｍｍである。
【００２２】
中高部８を挟んで左側には左エンボス加工部９が形成され、右側には右エンボス加工部１１が形成されている。この左エンボス加工部９と右エンボス加工部１１はトップシート７側から凹凸を有するローラーによって圧搾を加えることによって形成されており、連続する凹凸部によって構成されている。また、左エンボス加工部９と右エンボス加工部１１は間隔をあけて配置されており、左エンボス加工部９と右エンボス加工部１１との間の寸法Ｌは４５ｍｍに設定されている。さらに、左エンボス加工部９及び右エンボス加工部１１は真っ直ぐに前後方向へ延び、且つ互いに平行に配置されている。
【００２３】
左エンボス加工部９の前方向側の端部と右エンボス加工部１１の前方向側の端部は連結エンボス加工部１３を介して繋がっており、左エンボス加工部９の後方向側の端部と右エンボス加工部１１の後方向側の端部は連結エンボス加工部１５を介して繋がっている。従って、左エンボス加工部９、右エンボス加工部１１の連結エンボス加工部１３及び連結エンボス加工部１５は連続し、閉じた形状となっており、中高部８は左エンボス加工部９、右エンボス加工部１１の連結エンボス加工部１３及び連結エンボス加工部１５に囲まれている。なお、連結エンボス加工部１３及び連結エンボス加工部１５もトップシート７側から凹凸を有するローラーによって圧搾を加えることによって形成されており、連続する凹凸部によって構成されている。
左エンボス加工部９の外側にはエンボス加工部２０が、右エンボス加工部１１の外側にはエンボス加工部２２が形成されている。
【００２４】
吸収体５の吸収コア５ａは中高部８の前後方向の中央部分１７において最も密度が高く、前端部および後端部へいくに従って低くなっている。即ち、図２に示すように、中高部８の中央部分１７における吸収コア５ａの密度はおよそ０．０７ｇ／ｃｍ３であり、また中央部分１７に隣接する前側部分１９と後側部分２１における吸収コア５ａの密度はおよそ０．０６〜０．０４ｇ／ｃｍ３である。前側部分１９と後側部分２１における吸収コア５ａの密度は中央部分１７から離れるに従って徐々に低くなる密度勾配を有している。従って、中高部８の中央部分１７における吸収力が最も高くなっており、中央部分１７から前後両端部へいくに従って吸収力が徐々に低くなっている。
中央部分１７の前後方向の寸法Ｗ１は７０ｍｍである。
【００２５】
中高部８の中央部分１７のＫＥＳ圧縮試験機による圧縮エネルギー値が０．３５ｇｆ・ｃｍ／ｃｍ２になっており、また前側部分１９と後側部分２１は０．５５ｇｆ・ｃｍ／ｃｍ２になっている。
ここで、ＫＥＳ圧縮試験機とは、カトーテック株式会社製のハンディー圧縮試験機（ＫＥＳ−Ｇ５）を意味し、完成品である生理用ナプキン１の中高部８の中央部分１７、前側部分１９及び後側部分２１に対して試験する。試験条件は以下のものとする。
【００２６】
ＳＥＮＳ（記録感度）：２　　　力計の種類：１０ｋｇ
ＳＰＥＥＤ　ＲＡＮＧＥ：０．１（ｃｍ／ｓｅｃ）
ＤＥＦ感度：２０　　　加圧面積：２ｃｍ２　
取込み間隔：０．１（標準）　　　ＳＴＲＯＫＥ　ＳＥＴ：５．０
上限荷重：５０ｇｆ／ｃｍ２
【００２７】
そして、上記の試験条件下で圧縮し、圧縮エネルギー値を得る。圧縮エネギルー値が大きいほど圧縮され易い、即ち柔らかく、圧縮エネルギー値が小さいほど硬い。
生理用ナプキン１の中高部８の中央部分１７における圧縮エネルギー値は、０．４５ｇｆ・ｃｍ／ｃｍ２以下とし、好ましくは０．２５〜０．４０ｇｆ・ｃｍ／ｃｍ２とする。また前側部分１９及び後側部分２１は圧縮エネルギー値は０．５ｇｆ・ｃｍ／ｃｍ２以上とし、好ましくは０．５５ｇｆ・ｃｍ／ｃｍ２以上とする。
【００２８】
この生理用ナプキン１は通常、中央部分１７の中心位置が排血口に対応するように装着する。また装用者は、昼間など前端部からの漏れが気になる場合には生理用ナプキン１を前側へずらして装着し、また夜間など後端部からの漏れが気になる場合は後側へずらして装着する。
前記したように生理用ナプキン１には中高部８が形成されており、左エンボス加工部９と右エンボス加工部１１は直線状で、しかも平行に配置されているので、生理用ナプキン１を前後方向へずらしても中高部８が肌にフィットし、良好な装着感を得ることができる。
【００２９】
また、前記のように吸収体５の吸収コア５ａは中高部８の中央部分１７において最も密度が高く、前端部または後端部へいくに従って密度が低くなっている。従って、中央部分１７からはずれた部位で吸収された経血等も、中央部分１７に対応する部位にある吸収コア５ａへ向かって流れることになる。
【００３０】
このように、中央部分１７における吸収コア５ａの密度を他の部分より高くすることによって中央部分１７からはずれた部位で吸収された経血等も、中央部分１７における吸収コア５ａへ向かって流れることを検証すると共に、吸収性コア５ａを構成するパルプの密度比をどの程度にすべきかを判定するため次の試験を行った。
【００３１】
（試験方法）
図６に示す試験用吸収体を、その領域Ｅと領域Ｆとの吸収コアに使用するパルプを、次の４パターンの密度となるようにプレスをかけて製作した（表１〜表４参照）。
2004073322.tif 000003
【００３２】
図６に示すように領域Ｅと領域Ｆとの境界のＢ点に３ｃｃの人工経血を試験用吸収体表面から高さ３ｃｍの位置よりビュレットにて滴下して、滴下直後におけるＢ点から人工経血が領域Ｅと領域Ｆへ拡散した広がり距離（例えば、Ｂ−Ｃ間、Ｂ−Ｄ間）を測定した。また人工経血の滴下直後における領域Ｅと領域Ｆのパルプ重量から各々の領域Ｅと領域Ｆの各々における人工経血の吸収量を算出した。この結果を表１から表４に示す。
【００３３】
【表１】
2004073322.tif 000004
【００３４】
【表２】
2004073322.tif 000005
【００３５】
【表３】
2004073322.tif 000006
【００３６】
【表４】
2004073322.tif 000007
【００３７】
上記表１から表４に記載された吸収移行度は次の式によって求められる。
吸収移行度＝Ｂ点から領域Ｆへの人工経血が長手方向へ拡散した広がり距離（ｍｍ）／Ｂ点から領域Ｅへの人工経血が長手方向へ拡散した広がり距離（ｍｍ）
この吸収移行度は値が大きい程、吸収力の差が大きいことを示す。
【００３８】
さらに、パルプの密度比と広がり距離との相関を表５に示し、パルプの密度比と吸収量との相関を表６に示す。
【００３９】
【表５】
2004073322.tif 000008
【００４０】
【表６】
2004073322.tif 000009
【００４１】
表１〜表４に示すようにパルプ密度比の差が大きいほど人工経血の広がり、人工経血の吸収量が大きく、上記中央部分１７における吸収コア５ａの密度を他の部分よりが高くすることによって中央部分１７からはずれた部位で吸収された経血等も、中央部分１７における吸収コア５ａへ向かって流れることが検証された。なお、図７にパルプ密度比と人工経血の広がり距離との相関を示すグラフを示し、図８にパルプ密度比と人工経血の吸収量との相関を示すグラフを示す。
上記試験結果より、効果的なパルプ密度比は、中高部の前後方向中央部分以外の部分と前後方向中央部分におけるパルプ密度の比は、１：１．１以上、好ましくは１：２．０以上であると判定される。
【００４２】
さらに、左エンボス加工部９、右エンボス加工部１１の連結エンボス加工部１３及び連結エンボス加工部１５は連続して閉じた形状となっており中高部８を囲んでいるので、吸収体５に吸収された経血等がこれらのエンボス加工部より外へ流出するのが阻止される。
従って、この生理用ナプキン１は前後方向及び側方からの経血等の漏れを確実に防止できる。
【００４３】
さらに、中高部８の中央部分１７の圧縮エネルギー値が０．３５ｇｆ・ｃｍ／ｃｍ２になっているので比較的硬く、また前側部分１９と後側部分２１は０．５５ｇｆ・ｃｍ／ｃｍ２になっているので比較的柔らかい。このため、中央部分１７は排血口に確実にフィットしてよれることがなく、前側部分１９と後側部分２１はショーツの動きに対し高い追従性をもつことになる。従って、装用中におけるヨレやズレを防止することができる。
【００４４】
以上、本発明の実施の形態を説明したが、本発明の具体的構成がこの実施の形態に限定されるものでは無く、本発明の要旨から外れない範囲での設計変更等があっても本発明に含まれる。
上記実施の形態では、中高部８を形成した生理用ナプキンを示したが、中高部を形成しない構成としてもよい。
また、中高部の前後方向の寸法Ｗを２４０ｍｍとしたが、この寸法Ｗは生理用ナプキン全体の前後方向の寸法によって異なるのは勿論である。
中央部分１７の前後方向の寸法Ｗ１は７０ｍｍとしたが、６０ｍｍ以上であればよい。
【００４５】
また、図５に示すように中央部分１７は、中高部８の前端８ａから４０ｍｍの位置より後側と後端８ｂから２０ｍｍの位置より前側の領域を最大とする。この領域を中央部分１７の最大の範囲とする理由について説明する。
同図において二点鎖線で示す範囲が成人女性の平均的なサイズの股間部に対応する股間部対応領域Ｋであり、この股間部対応領域Ｋの前端部から２０ｍｍで、且つ後端部から４０ｍｍの位置に排血口がくる。従って、生理用ナプキンを最も前端部へずらした場合には排血口はＰ１で示す位置にくることになり、また最も後端部へずらした場合には排血口はＰ２で示す位置にくることになる。このように生理用ナプキンを最も前側または最も後側にずらして装着した場合の排血口の位置Ｐ１、Ｐ２を基準にすると、中高部８の最大領域を上記のようにすれば、生理用ナプキンを最も前側または最も後側にずらして装着した場合のいずれもカバーすることができる。このため、中高部８の前端８ａから４０ｍｍの位置より後側であって、且つ中高部８の後端８ｂから２０ｍｍの位置より前側の領域を中央部分１７の最大範囲とする。
【００４６】
また、上記実施の形態においては、左エンボス加工部９と右エンボス加工部１１との間の寸法Ｌは４５ｍｍとしたが、本発明はこれに限定されず４０ｍｍ〜５５ｍｍの範囲で設定する。
上記実施の形態では、前側部分１９と後側部分２１における吸収コア５ａの密度は中央部分１７から離れるに従って徐々に低くなる密度勾配を有しているが、このような密度勾配を設けず、前側部分１９と後側部分２１における吸収コア５ａの密度を均一なものとしてもよい。この場合において前側部分１９と後側部分２１における吸収コア５ａの密度を中央部分１７の吸収コア５ａの密度より低い値とするのは勿論である。
【００４７】
また、連結エンボス加工部１３、１５の両方またはいずれか一方をを設けない構成にしてもよい。
本発明は生理用ナプキンだけでなく、パンティライナー、失禁パッド、紙おむつ等の吸収性物品に適用することができる。
【００４８】
【発明の効果】
以上のように、本発明によれば、吸収体は中高部の前後方向中央部分において最も密度が高く、前端部または後端部へいくに従って密度が低くなっている。従って、中央部分からはずれた部位で吸収された経血等も、中央部分に対応する部位にある吸収体へ向かって流れることになる。さらに、左エンボス加工部、右エンボス加工部の連結エンボス加工部及び連結エンボス加工部は連続して閉じた形状となっており中高部を囲んでいるので、吸収体に吸収された経血等がこれらのエンボス加工部より外へ流出するのが阻止される。従って、前後方向及び側方からの経血等の漏れを確実に防止できる。
【００４９】
また、中高部が形成されており、左エンボス加工部と右エンボス加工部は直線状で、しかも平行に配置されているので吸収性物品を前後方向へずらしても中高部が肌にフィットし、良好な装着感を得ることができる。
【図面の簡単な説明】
【図１】本発明の実施の形態に係る生理用ナプキンの全体斜視図である。
【図２】図１に示す生理用ナプキンの平面図である。
【図３】図２に示す生理用ナプキンのＡ−Ａ断面図である。
【図４】図２に示す生理用ナプキンのＢ−Ｂ断面図である。
【図５】本発明の吸収性物品における中高部の前後方向中央部分の最大範囲を説明するための生理用ナプキンの平面図である。
【図６】本発明の吸収性物品の経血等の吸収力の検証実験を説明するための図である。
【図７】パルプ密度比と広がり距離との相関を示すグラフである。
【図８】パルプ密度比と吸収量との相関を示すグラフである。
【符号の説明】
１…生理用ナプキン　　　　　　　３…バックシート
５…吸収体　　　　　　　　　　　７…トップシート
８…中高部　　　　　　　　　　　９…左エンボス加工部
１１…右エンボス加工部　　　　　１３…連結エンボス加工部
１５…連結エンボス加工部　　　１７…中高部の中央部分
１９…前側部分　　　　　　　　　２１…後側部分
８ａ…中高部の前端　　　　　　　８ｂ…中高部の後端
【図１】
2004073322.tif 000010
【図２】
2004073322.tif 000011
【図３】
2004073322.tif 000012
【図４】
2004073322.tif 000013
【図５】
2004073322.tif 000014
【図６】
2004073322.tif 000015
【図７】
2004073322.tif 000016
【図８】
2004073322.tif 000017